(57)【要約】      （修正有）【課題】男性機能補助作用を有する使い捨て型コンドーム用電動リングの提供。【解決手段】コンドームに掛け止めする円形リング２、該円形リングに一体形成された軟質プラスチック製袋状体２０、２つの硬質プラスチックケース体３、円筒状振動機構４及び亜鈴状振動体５からなり、円筒状振動機構を収納した２つの硬質プラスチックケース体を組合せたケーシングを該袋状体内に収容し、前記亜鈴状振動体のネック部４１，４２に対して遊びのある該ケーシングの半円状空孔から該円筒状振動機構を突出支持することにより、該円筒状振動機構に自由振動させると共にネック部と空孔縁部との衝突による衝撃を付加し、該亜鈴状振動体ネック部に対して遊びのある内径の開口を挿通して亜鈴状振動体を該ケーシングから突出せしめることにより、円筒状振動機構の自由な振動に伴なってネック部を該開口縁に衝突させて亜鈴状振動体に自由な振動と衝突による振動を付加せしめる。【選択図】図４
0003131058.tif 000002
【実用新案登録請求の範囲】
【請求項１】
円形リングと、前記円形リングに一体形成された軟質プラスチック製袋状体と、２つの硬質プラスチックケース体と、円筒状振動機構及び亜鈴状振動体からなる、内外振動可能なコンドーム上に着用する機能補助器具において、
前記軟質プラスチック製袋状体は、該円形リングの円弧の接線方向に向けて２つの組合わせ可能な硬質プラスチックケース体に嵌め込まれた円筒状振動機構を収納する空間が設けられ、該袋状体の上方には高さ約０．３センチの突起物を設け、
前記２つの硬質プラスチックケース体は、前記円筒状振動機構の外部を覆って組合されると共に、両側に該円筒状振動機構の２つのネック部半径より若干大きく遊びを持たせた半円状空孔を設けて該円筒状機構を支持することにより、該円筒状機構を硬質プラスチックケース体に囲まれた空間内にて自由に振動・震動する内部振動を生じさせ、
該硬質プラスチックケース体の上方に亜鈴状振動体のネック部半径より若干大きく遊びを持たせた半円状空孔に該ネック部を挿通して亜鈴状振動体突出させることにより、該円筒状振動機構の自由な振動に伴なって前記亜鈴状振動体のネック部が空孔内縁に接触して跳動することにより外部振動を生じさせ、
前記亜鈴状振動体の該該硬質プラスチックケース体から突出する一端は略角丸状に形成された円盤体とし、該円筒状振動機構に接する該亜鈴状振動体の他端の球頭上には下向きに複数の粒状突起を一体形成して、上記内部振動に伴なって該円筒状振動機構の上側に上向きに一体形成された複数の粒状突起と衝突することにより前記亜鈴状振動体に振動、跳動する外部振動を生じさせ、
また、前記２つの硬質プラスチックケース体下側に上向きに、前記円筒状振動機構下側に下向きに相対して複数の粒状突起が一体形成され、該円筒状振動機構の硬質プラスチックケース体に囲まれた空間内の内部振動に伴なって互いに接触して外部振動を強化するように連動させたこと、
を特徴とするコンドーム上に着用する機能補助器具。
【請求項２】
上記亜鈴状振動体に替えてリベット状柱体を円筒状振動機構の上に一体形成したことを特徴とする請求項１記載のコンドーム上に着用する機能補助器具。
【考案の詳細な説明】
【技術分野】
【０００１】
本考案は、装着したコンドーム上に着用して使用するコンドーム用電動リングに関し、特に内外振動可能な使い捨て型コンドーム用電動リングに関する。
【背景技術】
【０００２】
近年来、世界各国では人口問題に対して計画的に出生数をコントロールすることが提唱され、その手段の一つとしてコンドームの使用が推奨されている。最近では、アフリカ、中南米等の地域における急激な人口増加は、気候変動への懸念と相俟って問題化しつつあり、その解決は大きな国際的課題ともなっている。このため、中国での一人っ子政策を始めとして、各国ともに人口抑制政策に力を入れているが、これらの施策が実効を挙げるためには、コンドーム使用の普及が重点となっている。
また、近年は人口問題に加え、エイズの蔓延など、性行為に伴って世界各地に広がる感染性疾患の防止策としても実用上はコンドームが最も現実的対策といえ、エイズ流行地に臨む地域ではコンドームの使用と普及が期待されているところである。
このようにコンドームの使用は広く推奨されているが、その普及には社会慣習や宗教的抵抗感の外、使用者に馴染むまで相当な期間が必要とするとともに、使用者にとって抵抗感のないコンドームの開発普及が期待されている。
【０００３】
過去の長い間、コンドームの使用は経済的に富裕な先進国において普及し、その品質も近年著しく向上して感触を損なわないものが開発されてきているが、なお、心理的にも着用感からも依然として抵抗されており、普及に支障をもたらす主な要因となっている。特に、性的機能が衰え始めた世代や機能になお障害を有するケースなどでは、これらの影響が大きく、機能的及び心理的な面の両面からこれらの性的機能を補助する機能が望まれる。
本考案者は、これより先に権利化された台湾登録実用新案第２４４０６４号「コンドーム用電動リングの改良構造」では、性機能を補助する電動リングの使用を提案しており、それによれば円環状電動リングの一端の振動機構内に、モーター、電池、導電バネ片が設置され、モーター前側の回転子は偏心状を呈し、後側は電池の一極に接触され、導電バネ片の一端は電池の別の一極に接続され、もう一端はモーターケース体に接触されることなく絶縁片を跨ぐように設置されている。絶縁片の一端の押し棒を内側に押すと、絶縁片が導電バネ片から脱離され、導電バネ片がモーターの別の一極に接触して電源を起動して、電動リングを振動させる。当該電動リングは通常、男性の陰茎、又はコンドームに掛着して使用することもできるが、前記電動リングの本体はリングの円周に沿って配置され、陰茎をバイブレーションさせるだけに止まり、前記電動リングの本体、又はその外辺縁上に形成されたフランジ（点状突起）（本考案者の既に権利化された登録実用新案第４９６１５５号「安全コンドームの改良構造」を参照）が相対する側に接触することができるが、刺激作用が不十分で、性的機能を補助する効果も依然として理想的なものになっていない。
【特許文献１】実願２００５−１９０号
【考案の開示】
【考案が解決しようとする課題】
【０００４】
コンドーム用電動リングにおいて、上記の機能を向上・改善すると共に、さらにこれらの性行為は単独で行なうものではなく、行為者双方が共に相和して行なうと共にその効果を共有しなければ成立しないことに鑑み、陰茎に対する締め付けと刺激作用のみでなく、女性側に対しても同時に連動して刺激作用を及ぼす伝動リングを提供する。更に繰り返し使用に伴なう衛生上の問題を解消する
【課題を解決するための手段】
【０００５】
本考案者が先に考案した安全コンドーム及びコンドーム用電動リングの性機能補助・強化作用をさらに向上させるため、本考案者は鋭意研究、改良を重ねた結果、円形リングと、円形リングの上方に一体形成された軟質プラスチック製袋状体と、２つの硬質プラスチックケース体と、円筒状振動機構及び亜鈴状振動体からなる内外振動可能な使い捨て型コンドーム用電動リングにおいて、当該軟質プラスチック製袋状体は、円形リングの上方に一体形成され、円形リングの円弧の接線方向に向けて外部が２つの組合わせ可能な硬質プラスチックケース体に被覆された円筒状振動機構を収納する空間が形成され、その上方には高さが約０．３センチの２つの突起物が設けられ、当該２つの硬質プラスチックケース体は前記円筒状振動機構の外部を覆うように組合わせると共に、その両側に前記円筒状振動機構の２つのネック部の半径より若干大きく遊びを持たせて半円状空孔を設けて支持することにより、前記円筒状振動機構を自由に振動・震動させ、且つ前記２つの組合わせ可能な硬質プラスチックケース体の上方に亜鈴状振動体のネック部半径より若干大きく遊びを持たせて半円状空孔を設けて該ネック部を挿通することにより、該円筒状振動機構を自由に振動させ、硬質プラスチックケース体から突出した前記亜鈴状振動体の一端は略角丸状に形成された円盤体とし、該円筒状振動機構に接する前記亜鈴状振動体の他端上には複数の粒状突起を一体形成し、前記円筒状振動機構の上側に一体形成された複数の粒状突起と衝突させて該亜鈴状振動体を強力に振動、跳動させるように構成された内外振動可能な使い捨て型コンドーム用電動リングであり、コンドームに該コンドーム用電動リングを掛着後、前記円筒状振動機構上の押しボタン又は押し棒を押下して電源を入れ、前記袋状体の中に装着された亜鈴状振動体を強力に振動、跳動させながら、相対する側に直接接触させると同時に、振動状態の下で、前記袋状体の上方に設けられた高さが約０．３センチの２つの突起物を微動させるように連動させて左右に刺激作用を及ぼすことにより、一方的な作用に止まらず双方共に作用的効果を達成し得る、ことを発見し、本考案の完成に至った。
【考案の効果】
【０００６】
本願考案の伝動リングによれば、簡単な構造によって行為者双方に対して連動して効果的な刺激を与え、性的機能が衰え、或いは障害がある場合などこれらの行為が円滑に達成できない場合にも、或いはコンドームの使用に慣れない場合でも抵抗感や違和感を打ち消して行為可能とするなどの優れた効果を発揮し、また、これらの簡単な構造によって使い捨てが可能となったことにより、繰り返し使用による衛生上の懸念も解消することができた。
【考案を実施するための最良の形態】
【０００７】
前記円筒状振動機構内に設置された導電シートは押し棒式かまたは押しボタン式を用いることが可能で、いずれによるかは使用者の望む電源入力方式によって決定さすれば良い。前記円筒状振動機構の上方から電源を入れる場合、押しボタン式を採用し、前記円筒状振動機構の下方から電源を入れる場合押し棒式を採用することが望ましい。
本考案に係わる内外振動可能な使い捨て型コンドーム用電動リングにおいて、陰茎を締め付ける円形リングと円形リングの上方に一体形成された軟質プラスチック製袋状体は、食品級の軟質シリコン樹脂、または熱可塑性エラストマー（ＴＰＲ）により一体形成され、前記円形リングはプレフォームされた直径の異なる約２〜４ミリの条状環状物からなり、そのサイズは陰茎への掛着に適合させ（この円形リングはプレフォームされた略円形の楕円形状で、直径約３〜４センチ）、且つ前記円形リング状の条状環状物は直径が異なるため、前記振動装置本体の振動により異なる振幅の震動を生じさせる。なお、円形リング下方の前記軟質プラスチック製袋状体に相対する部位に、必要に応じて直径約０．３センチの円球又は前端に直径約０．３センチの円球を有する長さ約１センチの湾曲軟質条状物を一体形成して、振動状態の下で、これを微動させることにより相手側にも刺激を与える。
【０００８】
本考案に係わる内外振動可能な使い捨て型コンドーム用電動リングにおいて、円形リングの上方にあってリングとの接線方向に配置される軟質プラスチック製袋状体に収納された円筒状振動機構は、モーターと、電池と導電シートを内蔵してなる公知の円筒状振動機構であり、該円筒状振動機構の外部は、これらの機構を収容するハウジングとなる２つの組合せ可能な硬質プラスチックケース体に被覆され、その外側は硬質ＡＢＳ（アクリロニトリル・ブタジェン・スチレン）等の材質により一体形成される。ここでの硬質樹脂ケース体の材質は、特に限定されるものではなく、ＡＢＳ（アクリロニトリル・ブタジェン・スチレン）樹脂のほか、他の安全衛生基準に合致する材質を採用することができる。前記筒状機構内の動力は使い捨て型粒状（ボタン）電池により供給され、電力の持続時間は約２０分から３０分間である。
【０００９】
本考案に係わる内外振動可能な使い捨て型コンドーム用電動リングにおいて、２つの硬質プラスチックケース体は前記円筒状振動機構の外部を覆うように組合わせ可能であると共に、両側に前記円筒状振動機構の２つのネック部の半径より余裕を持たせて若干大きい半円状空孔を設けて、前記円筒状振動機構が２つの硬質プラスチックケース体に囲まれた空間にて充分に振動・震動することにより内部振動を生じさせ、且つ前記２つの組合せ可能な硬質プラスチックケース体の上方に亜鈴状振動体のネック部を収納できる、亜鈴状振動体のネック部半径より余裕を持たせて若干大きい半円状空孔を設けて、該円筒状振動機構の自由な振動により前記亜鈴状振動体をこれに接触、跳動させ、前記亜鈴状振動体の一端は略角丸状に形成された円盤体、前記亜鈴状振動体の球頭となす別端上には下向きに複数の粒状突起が一体形成され、前記円筒状振動機構の上方における上向きに一体形成された複数の粒状突起と衝突することにより、該亜鈴状振動体を強力的に振動、跳動させるようにして外部振動を生じさせる。
【００１０】
なお、前記２つの硬質プラスチックケース体の下方の上向き及び前記円筒状振動機構の下方の下向きに対応して複数の粒状突起が一体形成され、前記円筒状振動機構が２つの硬質プラスチックケース体に囲まれた空間にて互いに接触して内部振動を生じさせると共に、外部振動を強化させるように連動し、一般のコンドームに該コンドーム用電動リングを掛着後、前記円筒状振動機構の上方の押し棒を押圧して電源を入れ、前記袋状体の中に装着された亜鈴状振動体を強力に振動、跳動させることで、略角丸状の円盤体を相手側に直接接触させると同時に、振動状態の下で、前記袋状体の上方に設けられた高さが約０．３センチの２つの突起物を微動させるように連動し、左右にそれぞれ作用する。
さらに、本考案に係わる内外振動可能な使い捨て型コンドーム用電動リングにおいて、前記円筒状振動機構のほぼ真下側、及び前記円筒状振動機構の外部を覆う２つの組合わせ可能な硬質プラスチックケース体内のほぼこれに対応する部位に複数の突起点を一体形成し、該円筒状振動機構の自由な振動に加えて、前記円筒状振動機構と硬質プラスチックケース体内部の突起点間の衝突により、該円筒状振動機構の上方に一体形成された複数の粒状突起を衝突させるように連動し、前記亜鈴状振動体を強力的に振動、跳動させて刺激機能を向上させる。
【００１１】
以下、添付図面を参照して実施例により本考案の技術内容をさらに詳しく説明する。なお、本考案の内外振動可能な使い捨て型コンドーム用電動リングは、これらの実施例により限定されるものではない。本考案の技術力を有する通常の技術者が本考案の技術内容に対して行った部材のサイズ、個数、形状、材質、構造等の如何なる修飾も本考案の範囲を逸脱するものではない。
〔実施例１〕
【００１２】
本願考案の内外振動可能な使い捨て型コンドーム用電動リング１は、円形リング２と、円形リング１の上方に一体形成された軟質プラスチック製袋状体２０と、２つの硬質プラスチックケース体３と、円筒状振動機構４と亜鈴状振動体５からなる。該軟質プラスチック製袋状体２０は、円形リング２の上方に一体形成されると共に、円形リング２の円弧の接線方向に向けて、外部が２つの組合せ可能な硬質プラスチックケース体３に被覆された円筒状振動機構４を収納可能な空間が設けられ、その上方には高さが約０．３センチの２つの突起物１３が設けられている。
該２つの硬質プラスチックケース体３は、前記円筒状振動機構４の外部を覆うように組合せて収容すると共に、その両側には前記円筒状振動機構４の２つのネック部４１、４２の半径より余裕を持たせて若干大きい半円状空孔を設けて両側から突出させ、内部に収容された前記円筒状振動機構４が該２つの硬質プラスチックケース体３に囲まれた空間内にて充分に振動・震動することにより内部振動を生じさせると共に、
該２つの組合せ可能な硬質プラスチックケース体３の上方には、亜鈴状振動体５のネック部５３半径より余裕を持たせて若干大きい半円状空孔を設けて硬質プラスチックケース体内に収容された円筒状振動機構から亜鈴状振動体５のネック部５３を半円状空孔を挿通して前記亜鈴状振動体５を外部に該突出させ、該円筒状振動機構４の自由な振動により、前記亜鈴状振動体５がこれに該半円状空孔縁部に接触、跳動して外部振動を生じさせる。
【００１３】
前記亜鈴状振動体５の一端は略角丸状に形成された円盤体５１で（図２参照。）、該亜鈴状振動体の球頭５２をなす他端上には下向きに複数の粒状突起６が一体形成され、これらの振動に伴なって前記円筒状振動機構の上側に上向きに一体形成された複数の粒状突起７と衝突することで、該亜鈴状振動体を強力に振動、跳動させることにより外部振動を生じさせる。
また、前記２つの硬質プラスチックケース体３下側に上向きに、及び前記円筒状振動機構４の下側には下向きに、相互に対応する複数の粒状突起１０、９を一体形成し、前記円筒状振動機構４が２つの硬質プラスチックケース体３に囲まれた空間にて内部振動を生じさせると共に互いに接触させて外部振動を強化するように連動する。
【００１４】
これらの機構は、コンドームに該コンドーム用電動リング１を掛着後、前記円筒状振動機構４の上方の押し棒８を押圧して電源を入れ、前記袋状体２０の中に装着された亜鈴状振動体５を強力に振動、跳動させることにより、相手側に直接接触させると同時に、振動状態の下で、前記袋状体２０の上方に設置された高さが約０．３センチの２つの突起物１３を微動させるように連動して、左右に作用する。また、円形リング２の下方であって、軟質プラスチック製袋状体２０と対応する部位に、必要に応じて直径約０．５センチの小円球１２を一体形成させ、これらの振動状態の下で、微動させることができる（図１、２、３を参照）。
〔実施例２〕
【００１５】
図４に示すとおり、実施例１と異なるのは、亜鈴状振動体５がリベット（キノコ）状柱体５′に替わって直接円筒状振動機構４上に一体形成されていて前記の粒状突起６、７、９、１０がないことであり、他は実施例１と共通する内外振動可能な使い捨て型コンドーム電動リング１である。
前記リベット状柱体５′は、円筒状振動機構４上に一体形成され、円筒状振動機構４が２つの硬質プラスチックケース体３に囲まれた空間にて内部振動させることにより、リベット状柱体５′の外部振動をもたらすように連動させ、本考案の内外振動可能効果を達成させた（図４を参照）。
【図面の簡単な説明】
【００１６】
【図１】本考案に係わる実施形態の外観拡大図。
【図２】本考案に係わる実施形態の部品幾何構成の後面図。
【図３】本考案に係わる実施形態の部品幾何構成の側面図。
【図４】本考案に係わる別の実施形態の部品幾何構成の側面図。
【符号の説明】
【００１７】
１                  コンドーム用電動リング
２                  円形リング
３                  硬質プラスチックケース体
４                  円筒状振動機構
４１、４２          ネック部
５                  亜鈴状振動体
５′                リベット状柱体
５１                略角丸状の円盤体
５２                球頭
５３                ネック部
６、７、９、１０    粒状突起
８                  押しボタン又は押し棒
１２                  小円球
１３                  突起物
２０                  軟質プラスチック製袋状体
【図１】
0003131058.tif 000003
【図２】
0003131058.tif 000004
【図３】
0003131058.tif 000005
【図４】
0003131058.tif 000006